(57)【特許請求の範囲】
【請求項１】
ＵＳＢ（Ｕｎｉｖｅｒｓａｌ  Ｓｅｒｉａｌ  Ｂｕｓ）デバイスが脱着自在なＵＳＢインタフェースと、
前記ＵＳＢインタフェースに接続されるＵＳＢデバイス毎に自装置の機能設定を記憶する記憶手段と、
前記ＵＳＢインタフェースに前記ＵＳＢデバイスが接続されている場合に前記記憶手段に記憶された当該ＵＳＢデバイスに対応する機能設定を使用して処理を行う手段と
を有し、
当該処理によって前記機能設定の一時的な変更及び自装置の機能の一時的な無効を行うことを特徴とするルータ装置。
【請求項２】
前記記憶手段が自装置内に配設されたことを特徴とする請求項１記載のルータ装置。
【請求項３】
前記記憶手段は、前記ＵＳＢインタフェースに接続されかつ自装置から読込み・書込み可能なファイルシステムでフォーマットされたＵＳＢマスストレージデバイスであることを特徴とする請求項１記載のルータ装置。
【請求項４】
前記ＵＳＢインタフェースに前記ＵＳＢデバイスを接続することで前記機能設定を変更することを特徴とする請求項１から請求項３のいずれか記載のルータ装置。
【請求項５】
上記の請求項１から請求項４のいずれかに記載のルータ装置を含むことを特徴とする通信システム。
【請求項６】
ルータ装置に、ＵＳＢ（Ｕｎｉｖｅｒｓａｌ  Ｓｅｒｉａｌ  Ｂｕｓ）デバイスが脱着自在なＵＳＢインタフェースと、前記ＵＳＢインタフェースに接続されるＵＳＢデバイス毎に自装置の機能設定を記憶する記憶手段とを設け、
前記ルータ装置が、前記ＵＳＢインタフェースに前記ＵＳＢデバイスが接続されている場合に前記記憶手段に記憶された当該ＵＳＢデバイスに対応する機能設定を使用して処理を行うステップを実行し、
当該処理によって前記機能設定の一時的な変更及び自装置の機能の一時的な無効を行うことを特徴とする機能制御方法。
【請求項７】
前記記憶手段が前記ルータ装置内に配設されたことを特徴とする請求項６記載の機能制御方法。
【請求項８】
前記記憶手段が、前記ＵＳＢインタフェースに接続されかつ前記ルータ装置から読込み・書込み可能なファイルシステムでフォーマットされたＵＳＢマスストレージデバイスであることを特徴とする請求項６記載の機能制御方法。
【請求項９】
前記ＵＳＢインタフェースに前記ＵＳＢデバイスを接続することで前記機能設定を変更することを特徴とする請求項６から請求項８のいずれか記載の機能制御方法。
【発明の詳細な説明】
【技術分野】
【０００１】
本発明はルータ装置、通信システム及びそれに用いる機能制御方法に関し、特にルータにおけるルータ装置機能の制御方法に関する。
【背景技術】
【０００２】
ルータにおけるルータ装置機能の設定としては、ウェブブラウザを使用してルータの管理画面に接続して行う、という方法がある（例えば、特許文献１，２参照）。
【０００３】
従来、ルータにおいてパケットフィルタ等の設定を行う場合は、ウェブブラウザを使用してルータの設定画面を開いて設定を行う必要がある。そのため、一時的に設定を行いたい場合や一時的に設定を解除したい場合においても、ルータの設定画面を開いて設定を行わなければならない。
【０００４】
ウェブブラウザを有する端末がウェブブラウザを使用してウェブサイトに接続する場合には、ウェブサイトに接続する前に、ウェブブラウザに設定を一時的に解除する画面を表示し、設定を解除する方法が挙げられる。しかしながら、ウェブブラウザを有していない端末では、上述した方法では設定を解除することができない。
【０００５】
また、ウェブブラウザではないアプリケーションを使用してインタネット網へ接続する場合は、インタネット網へ接続するアプリケーションの他にウェブブラウザを使用して設定を解除する必要があり、操作が煩雑である。
【先行技術文献】
【特許文献】
【０００６】
【特許文献１】特開２００４−１８７０７６号公報
【特許文献２】特開２００５−１３０３３４号公報
【発明の概要】
【発明が解決しようとする課題】
【０００７】
しかしながら、上述したルータ装置機能の設定方法では、ルータに設定した機能を一時的に無効にしたい場合においてもウェブブラウザを使用してルータの管理画面に接続する必要がある。
【０００８】
また、上述したルータ装置機能の設定方法では、ルータの管理画面に接続するためにはウェブブラウザを有している端末を使用する必要がある。
【０００９】
さらに、上述したルータ装置機能の設定方法では、ルータの管理者以外の使用者がルータの管理画面に接続することにより、管理者が意図しない設定変更が行われる可能性がある。
【００１０】
そこで、本発明の目的は上記の問題点を解消し、パケットフィルタ等のルータ装置機能の設定において、接続したＵＳＢ（Ｕｎｉｖｅｒｓａｌ  Ｓｅｒｉａｌ  Ｂｕｓ）デバイスに対応する設定情報を使用することができるルータ装置、通信システム及びそれに用いる機能制御方法を提供することにある。
【課題を解決するための手段】
【００１１】
本発明によるルータ装置は、ＵＳＢ（Ｕｎｉｖｅｒｓａｌ  Ｓｅｒｉａｌ  Ｂｕｓ）デバイスが脱着自在なＵＳＢインタフェースと、
前記ＵＳＢインタフェースに接続されるＵＳＢデバイス毎に自装置の機能設定を記憶する記憶手段と、
前記ＵＳＢインタフェースに前記ＵＳＢデバイスが接続されている場合に前記記憶手段に記憶された当該ＵＳＢデバイスに対応する機能設定を使用して処理を行う手段と
を備え、
当該処理によって前記機能設定の一時的な変更及び自装置の機能の一時的な無効を行っている。
【００１２】
本発明による通信システムは、上記のルータ装置を含むことを特徴とする。
【００１３】
本発明による機能制御方法は、ルータ装置に、ＵＳＢ（Ｕｎｉｖｅｒｓａｌ  Ｓｅｒｉａｌ  Ｂｕｓ）デバイスが脱着自在なＵＳＢインタフェースと、前記ＵＳＢインタフェースに接続されるＵＳＢデバイス毎に自装置の機能設定を記憶する記憶手段とを設け、
前記ルータ装置が、前記ＵＳＢインタフェースに前記ＵＳＢデバイスが接続されている場合に前記記憶手段に記憶された当該ＵＳＢデバイスに対応する機能設定を使用して処理を行うステップを実行し、
当該処理によって前記機能設定の一時的な変更及び自装置の機能の一時的な無効を行っている。
【発明の効果】
【００１４】
本発明は、上記のような構成及び動作とすることで、パケットフィルタ等のルータ装置機能の設定において、接続したＵＳＢデバイスに対応する設定情報を使用することができるという効果が得られる。
【図面の簡単な説明】
【００１５】
【図１】本発明の実施の形態によるルータの構成例を示すブロック図である。
【図２】本発明の実施の形態によるルータの動作を示すシーケンスチャートである。
【図３】本発明の実施の形態によるルータの動作を示すシーケンスチャートである。
【図４】本発明の実施の形態によるルータの動作を示すシーケンスチャートである。
【図５】本発明の実施の形態によるルータの動作を示すシーケンスチャートである。
【図６】本発明の実施の形態によるルータの動作を示すフローチャートである。
【図７】本発明の実施の形態におけるルータ装置機能としてパケットフィルタ機能の設定の一例を示す図である。
【図８】本発明の実施の形態におけるＵＳＢデバイスに対応したパケットフィルタ機能の設定の一例を示す図である。
【図９】本発明の実施の形態によるルータの動作を示すシーケンスチャートである。
【図１０】本発明の実施の形態によるルータの動作を示すシーケンスチャートである。
【発明を実施するための形態】
【００１６】
次に、本発明の実施の形態について図面を参照して説明する。本発明によるルータ装置における機能設定方法の概要について説明する。本発明は、ルータに接続されたＵＳＢ（Ｕｎｉｖｅｒｓａｌ  Ｓｅｒｉａｌ  Ｂｕｓ）デバイスを使用してルータが有する機能を制御することを特徴としている。
【００１７】
例えば、ルータのＬＡＮ（Ｌｏｃａｌ  Ａｒｅａ  Ｎｅｔｗｏｒｋ）側に接続されたＰＣ（パーソナルコンピュータ）やネットワーク接続を行える機器がパケットフィルタ機能によりＷＡＮ（Ｗｉｄｅ  Ａｒｅａ  Ｎｅｔｗｏｒｋ）側への接続が制限されているとする。そのような機器がＷＡＮ側と通信を行う場合には、ウェブブラウザを使用してルータの設定画面を開き、パケットフィルタの設定を変更する、といった作業を行う必要がある。
【００１８】
本発明では、このようなパケットフィルタ等のルータ装置機能の設定において、ルータにＵＳＢデバイスを接続することで、接続したＵＳＢデバイスに対応する設定情報を使用することができる。
【００１９】
本発明では、ルータにＵＳＢデバイスを接続することで、パケットフィルタの設定を変更することが可能となるので、使用者が設定変更の作業を簡略化することができ、利便性が向上する。また、本発明では、ルータの管理者以外にルータの設定画面に接続させないことにより、ルータの管理者に無断でルータの設定が変更されることがなくなる。
【００２０】
例えば、本発明は、ＬＡＮインタフェース、ＷＡＮインタフェース、ＵＳＢインタフェース、ＵＳＢ制御部、ルータ部、ルータ装置機能部、記憶部を有するブロードバンドルータに関する。
【００２１】
ＬＡＮインタフェースは、ＬＡＮ側ネットワークに接続され、ＬＡＮ側ネットワークにはＰＣ等の第１及び第２の端末が接続されている。第１の端末は、ウェブブラウザを有しており、第２の端末はウェブブラウザを有していない。
【００２２】
ＷＡＮインタフェースは、インタネット網に接続され、インタネット網にはウェブサーバが接続されている。ウェブサーバはウェブサイトを有している。
【００２３】
ＵＳＢインタフェースには、ＵＳＢデバイスが接続される。ルータ部は、ルータ装置機能部に設定されたパケット転送の条件にしたがってＬＡＮインタフェースとＷＡＮインタフェースとにパケットを転送する。
【００２４】
本発明では、ルータのＬＡＮ側に接続された端末のＩＰ（Ｉｎｔｅｒｎｅｔ  Ｐｒｏｔｏｃｏｌ）アドレスを使用してルータ装置機能の設定を行う。本発明では、ルータにＵＳＢデバイスを接続し、ＵＳＢデバイスが接続された際に一時的に設定を変更したいルータ装置機能を選択し、変更したい内容を設定する。ＵＳＢデバイスのシリアル番号及び一時的に変更するルータ装置機能の設定を記憶部に記憶する。
【００２５】
ルータは、ＬＡＮ側の端末から送信されるパケットを監視する。ＵＳＢデバイスが接続されていない場合は、ルータ装置機能の設定にしたがってパケットの転送を行う。ＵＳＢデバイスが接続されている場合は、記憶部に記憶されている接続したＵＳＢデバイスに対応したルータ装置機能の設定を優先して使用し、パケットの転送を行う。
【００２６】
このように、本発明では、ルータにＵＳＢデバイスを接続することで、パケットフィルタ等のルータ装置機能を一時的に無効にすることができる。また、本発明では、ルータ装置機能を一時的に無効にしたい場合でも、ウェブブラウザでルータの設定画面を開いてルータ装置機能の設定を行う操作が不要となる。
【００２７】
さらに、本発明では、ウェブブラウザを有していない端末を使用している場合においても、ルータにＵＳＢデバイスを接続することでパケットの転送の制限を無効にすることができる。
【００２８】
図１は本発明の実施の形態によるルータの構成例を示すブロック図である。図１において、ルータ１は、ＬＡＮインタフェース１１と、ＷＡＮインタフェース１２と、ＵＳＢインタフェース１３と、ＵＳＢ制御部１４と、ルータ部１５と、ルータ装置機能部１６と、記憶部１７とを有するブロードバンドルータである。
【００２９】
ＬＡＮインタフェース１１及びＷＡＮインタフェース１２は、１つ以上の８ピンモジュラジャック（ＲＪ−４５）を有する。ＬＡＮインタフェース１１には、ウェブブラウザ２１を有するＰＣ等の端末２及びウェブブラウザを有しないＰＣ等の端末３が接続される。端末２及び端末３は、ＬＡＮ側ネットワーク１００に存在する。
【００３０】
ＷＡＮインタフェース１２は、インタネット網２００に接続される。ここで、ＷＡＮインタフェース１２とインタネット網２００との接続方法は特に指定しない。インタネット網２００には、ウェブサーバ４が接続されている。ウェブサーバ４には、ウェブサイト４１が設けられている。
【００３１】
ルータ部１５は、パケット転送の条件にしたがってＬＡＮインタフェース１１とＷＡＮインタフェース１２とにパケットを転送する。ルータ装置機能部１６は、パケットフィルタ機能を有し、パケット転送の条件を設定できる。記憶部１７には、ルータ装置機能の設定及びＵＳＢデバイス５に対応したルータ装置機能の設定を記憶している。ルータ装置機能の設定は、ウェブブラウザを使用してルータ１が有する管理画面に接続することで行えるものとする。
【００３２】
図２〜図５と図９と図１０とは本発明の実施の形態によるルータの動作を示すシーケンスチャートであり、図６は本発明の実施の形態によるルータの動作を示すフローチャートである。図７は本発明の実施の形態におけるルータ装置機能としてパケットフィルタ機能の設定の一例を示す図であり、図８は本発明の実施の形態におけるＵＳＢデバイスに対応したパケットフィルタ機能の設定の一例を示す図である。
【００３３】
これら図１〜図８を参照して、本実施の形態における端末２、ルータ１、インタネット網２００間の処理の様子について説明する。本実施の形態においては、ルータ装置機能として具体的にパケットフィルタ機能を使用した場合についての動作の説明を行う。尚、本実施の形態においては、ルータ装置機能がパケットフィルタ機能に限定されるものではない。
【００３４】
以下、図２と図６と図７と図８とにより、ルータ１にＵＳＢデバイス５が接続されている場合で、ＵＳＢデバイス５に対応したパケットフィルタ機能の設定に合致する通信を行った場合の端末２、ルータ１、インタネット網２００間の処理の様子について説明する。
【００３５】
図７に示す例において、Ｎｏ．１の項目では、プロトコルがＴＣＰ（Ｔｒａｎｓｍｉｓｓｉｏｎ  Ｃｏｎｔｒｏｌ  Ｐｒｏｔｏｃｏｌ）で、送信元アドレスが「１９２．１６８．１１．１０」、送信元ポートが「８０」、送信先アドレスが「１７２．１６．２１．４０」、送信先ポートが「８０」であるパケットをルータ１にて遮断させるように設定している。
【００３６】
図２において、端末２のＩＰアドレスを「１９２．１６８．１１．１０」、インタネット網２００のＩＰアドレスを「１７２．１６．２１．４０」とする。まず、端末２からインタネット網２００への接続（ＩＰアドレス「１７２．１６．２１．４０」，ポート「８０」，ＴＣＰ）が行われ、端末２からルータ１にパケットが送信される（図２のａ１、図６のステップＳ１，Ｓ２）。この場合は、ステップＳ２の処理においてＹＥＳとなる。
【００３７】
ルータ１は、ＵＳＢインタフェース１３にＵＳＢデバイス５が接続されているかどうかをＵＳＢ制御部１４に確認する（図２のａ２、図６ステップＳ３）。この場合は、ＵＳＢデバイス５が接続されており、ステップＳ３の処理においてＹＥＳとなるので、ルータ１は、記憶部１７からＵＳＢデバイス５に対応したパケットフィルタ機能の設定を検索する（図２のａ３、図６ステップＳ４，Ｓ５）。
【００３８】
図８のＮｏ．１に端末２からインタネット網２００への通信に合致する設定がされているので、ステップＳ５の処理においてＹＥＳとなり、ルータ１は、図７のＮｏ．１の設定ではなく、図８のＮｏ．１の設定によってパケット転送を行う（図６ステップＳ７）。
【００３９】
図８のＮｏ．１では、端末２からインタネット網２００への通信を通過するように設定されているので、ルータ１は、端末２からのパケットをインタネット網２００へ転送する（図２のａ４）。ルータ１は、インタネット網２００からの応答がくると（図２のａ５）、その応答を端末２に転送する（図２のａ６）。
【００４０】
次に、図３、図６、図７、図８により、ルータ１にＵＳＢデバイス５が接続されている場合で、ＵＳＢデバイス５に対応したパケットフィルタ機能の設定に合致しない通信を行った場合の端末２、ルータ１、インタネット網２００間の処理の様子について説明する。
【００４１】
図７に示す例において、Ｎｏ．２の項目では、プロトコルがＴＣＰで、送信元アドレスが「１９２．１６８．１１．１０」、送信元ポートが「８０」、送信先アドレスが「１７２．１６．２１．５０」、送信先ポートが「８０」であるパケットをルータ１が通過するように設定している。
【００４２】
図３において、端末２のＩＰアドレスを「１９２．１６８．１１．１０」、インタネット網２００のＩＰアドレスを「１７２．１６．２１．５０」とする。端末２からインタネット網２００への接続（ＩＰアドレス「１７２．１６．２１．５０」，ポート「８０」，ＴＣＰ）が行われ、端末２からルータ１にパケットが送信される（図３のｂ１、図６のステップＳ１，Ｓ２）。この場合は、ステップＳ２の処理においてＹＥＳとなる。
【００４３】
ルータ１は、ＵＳＢインタフェース１３にＵＳＢデバイス５が接続されているかどうかをＵＳＢ制御部１４に確認する（図３のｂ２、図６ステップＳ３）。この場合は、ＵＳＢデバイス５が接続されており、ステップＳ３の処理においてＹＥＳとなるので、ルータ１は、記憶部１７からＵＳＢデバイス５に対応したパケットフィルタ機能の設定を検索する（図３のｂ３、図６ステップＳ４，Ｓ５）。
【００４４】
図８には、端末２からインタネット網２００への通信に合致する設定がされていないので、ステップＳ５の処理においてＮＯとなり、ルータ１は、検索された図７のＮｏ．２の設定によってパケット転送を行う（図３のｂ４、図６ステップＳ６，Ｓ７）。
【００４５】
図７のＮｏ．２では、端末２からインタネット網２００への通信を通過するように設定されているので、ルータ１は端末２からのパケットをインタネット網２００へ転送する（図３のｂ５）。ルータ１は、インタネット網２００から応答がくると（図３のｂ６）、その応答を端末２へ転送する（図３のｂ７）。
【００４６】
続いて、図４、図６、図７、図８により、ルータ１にＵＳＢデバイス５が接続されている場合で、ＵＳＢデバイス５に対応したパケットフィルタ機能の設定に合致する通信を行った場合の端末２、ルータ１、インタネット網２００間の処理の様子について説明する。
【００４７】
図７に示す例において、Ｎｏ．３の項目では、プロトコルがＵＤＰ（Ｕｓｅｒ  Ｄａｔａｇｒａｍ  Ｐｒｏｔｏｃｏｌ）で、送信元アドレスが「１９２．１６８．１１．２０」、送信元ポートが「１５０００」、送信先アドレスが「１７２．１６．２１．５０」、送信先ポートが「１５０００」であるパケットをルータ１にて通過するように設定している。
【００４８】
図４において、端末２のＩＰアドレスを「１９２．１６８．１１．２０」、インタネット網２００のＩＰアドレスを「１７２．１６．２１．５０」とする。端末２からインタネット網２００への接続（ＩＰアドレス「１７２．１６．２１．５０」，ポート「１５０００」，ＵＤＰ）が行われ、端末２からルータ１にパケットが送信される（図４のｃ１、図６のステップＳ１，Ｓ２）。この場合は、ステップＳ２の処理においてＹＥＳとなる。
【００４９】
ルータ１は、ＵＳＢインタフェース１３にＵＳＢデバイス５が接続されているかどうかをＵＳＢ制御部１４に確認する（図４のｃ２、図６ステップＳ３）。この場合は、ＵＳＢデバイス５が接続されており、ステップＳ３の処理においてＹＥＳとなるので、ルータ１は、記憶部１７からＵＳＢデバイス５に対応したパケットフィルタ機能の設定を検索する（図４のｃ３、図６ステップＳ４，Ｓ５）。
【００５０】
図８のＮｏ．２に端末２からインタネット網２００への通信に合致する設定がされており、ステップＳ５の処理においてＹＥＳとなり、ルータ１は図７のＮｏ．３の設定ではなく、図８のＮｏ．２の設定によってパケット転送を行う（図６ステップＳ７）。
【００５１】
図８のＮｏ．２では、端末２からインタネット網２００への通信を遮断するように設定されているので、ルータ１は、端末２からのパケットをインタネット網２００へ転送せず、端末２へ接続拒否応答をする（図４のｃ４）。ここで、接続拒否応答において、ルータ１が端末２に対して何らかのパケットを送信するか、送信しないかは特に指定しない。
【００５２】
図５、図６、図７、図８により、ルータ１にＵＳＢデバイス５が接続されている場合で、ＵＳＢデバイス５に対応したパケットフィルタ機能の設定に合致する通信を行った場合の端末２、ルータ１、インタネット網２００間の処理の様子について説明する。
【００５３】
図７に示す例において、Ｎｏ．４の項目では、プロトコルがＵＤＰで、送信元アドレスが「１９２．１６８．１１．２０」、送信元ポートが「２００００」、送信先アドレスが「１７２．１６．２１．５０」、送信先ポートが「２００００」であるパケットをルータ１にて遮断するように設定している。
【００５４】
図５において、端末２のＩＰアドレスを「１９２．１６８．１１．２０」、インタネット網２００のＩＰアドレスを「１７２．１６．２１．５０」とする。端末２からインタネット網２００への接続（ＩＰアドレス「１７２．１６．２１．５０」，ポート「２００００」，ＵＤＰ）が行われ、端末２からルータ１にパケットが送信される（図５のｄ１、図６のステップＳ１，Ｓ２）。この場合は、ステップＳ２の処理においてＹＥＳとなる。
【００５５】
ルータ１は、ＵＳＢインタフェース１３にＵＳＢデバイス５が接続されているかどうかをＵＳＢ制御部１４に確認する（図５のｄ２、図６ステップＳ３）。この場合は、ＵＳＢデバイス５が接続されており、ステップＳ３の処理においてＹＥＳとなるので、ルータ１は、記憶部１７からＵＳＢデバイス５に対応したパケットフィルタ機能の設定を検索する（図５のｄ３、図６ステップＳ４，Ｓ５）。
【００５６】
図８には、端末２からインタネット網２００への通信に合致する設定がされていないので、ルータ１は、検索された図７のＮｏ．４の設定によってパケット転送を行う（図５のｄ４、図６ステップＳ６，Ｓ７）。
【００５７】
図７のＮｏ．４では、端末２からインタネット網２００への通信を遮断するように設定されているので、ルータ１は、端末２からのパケットをインタネット網２００へ転送せず、端末２へ接続拒否応答をする（図５のｄ５）。ここで、接続拒否応答において、ルータ１が端末２に対して何らかのパケットを送信するか、送信しないかは特に指定しない。
【００５８】
図９及び図１０は、ルータ１にＵＳＢデバイス５が接続されていない場合である。この場合は、ルータ１が端末２からパケットを受信すると、図６のステップＳ２においてＹＥＳ、ステップＳ３においてＮＯとなり、ステップＳ６，Ｓ７において、図７に設定されている条件によってパケット転送が行われる。
【００５９】
本実施の形態の説明においては、「１９２．１６８．１１．０／２４」をルータのＬＡＮ側のＩＰアドレス、「１７２．１６．２１．０／２４」をインタネット網側のＩＰアドレスとする。
【００６０】
ＵＳＢデバイスの識別には、ＵＳＢの仕様で策定されているデバイスディスクリプタ（Ｄｅｖｉｃｅ  Ｄｅｓｃｒｉｐｔｏｒ）を使用する。デバイスディスクリプタには、クラスコード、ベンダＩＤ（Ｉｄｅｎｔｉｆｉｅｒ）、プロダクトＩＤ、マニュファクチャ、シリアルナンバ等を格納するフィールドが存在する。
【００６１】
ＵＳＢ制御部１４は、ＵＳＢインタフェース１３にＵＳＢデバイス５が接続された際にデバイスディスクリプタから値を取得することで、接続されたＵＳＢデバイス５を識別することが可能である。デバイスディスクリプタから取得したＵＳＢデバイス５の識別情報は、ＵＳＢデバイス５に対応したルータ装置機能の設定を行った際に記憶部１７に記憶する。
【００６２】
図６のステップＳ３の処理においてＵＳＢデバイス５が接続されている場合、接続されたＵＳＢデバイス５の識別情報を取得し、ステップＳ４の処理においてその識別情報を使用して、接続されたＵＳＢデバイス５に対応するルータ装置機能の設定を検索する。
【００６３】
以上説明したように、本実施の形態では、ルータ装置機能としてルータ１のＬＡＮ側に接続し、パケットフィルタ等のルータ装置機能が設定され、パケットの転送が制限されている端末がＬＡＮ側ネットワーク１００やインタネット網２００と通信を行う際に、以下に記載するような効果がある。
【００６４】
本実施の形態では、ルータ１にＵＳＢデバイス５を接続することで、パケットフィルタ等のルータ装置機能を一時的に無効にすることができる。ルータ装置機能を一時的に無効にしたい場合には、ウェブブラウザでルータ１の設定画面を開いてルータ装置機能の設定を行う操作が不要となる。
【００６５】
また、本実施の形態では、ウェブブラウザを有していない端末２を使用している場合においても、ルータ１にＵＳＢデバイス５を接続することで、パケットの転送の制限を無効にすることができる。
【００６６】
上述した本発明の実施の形態では、ルータ１にＵＳＢデバイス５が接続されている場合に、記憶部１７に記憶されているＵＳＢデバイス５に対応したルータ装置機能の設定を使用している。しかしながら、ＵＳＢデバイス５を接続することで、ＵＳＢデバイス５に対応するルータ装置機能の設定を使用するだけでなく、ＵＳＢデバイス５を接続することで、ルータ装置機能全体を有効または無効にすることも可能である。
【００６７】
また、ルータ装置機能の設定を記憶部１７ではなく、接続したＵＳＢデバイス５内に記憶することも可能である。この場合、接続したＵＳＢデバイス５がＵＳＢマスストレージデバイスであり、ルータ１から読込み・書込み可能なファイルシステムでフォーマットされている必要がある。
【符号の説明】
【００６８】
１  ルータ
２，３  ＰＣ
４  ウェブサーバ
５  ＵＳＢデバイス
１１  ＬＡＮインタフェース
１２  ＷＡＮインタフェース
１３  ＵＳＢインタフェース
１４  ＵＳＢ制御部
１５  ルータ部
１６  ルータ装置機能部
１７  記憶部
２１  ウェブブラウザ
４１  ウェブサイト
１００  ＬＡＮ側ネットワーク
２００  インタネット網
【図１】
0005376679.tif 000002
【図２】
0005376679.tif 000003
【図３】
0005376679.tif 000004
【図４】
0005376679.tif 000005
【図５】
0005376679.tif 000006
【図６】
0005376679.tif 000007
【図７】
0005376679.tif 000008
【図８】
0005376679.tif 000009
【図９】
0005376679.tif 000010
【図１０】
0005376679.tif 000011